(57)【特許請求の範囲】
【請求項１】
矩形のトレー本体底部の四辺から上方にトレー本体側部が立設されている上面開口の扁平なボックス状の搬送トレー本体と、
前記トレー本体側部の内面に装着されている平板状のスペーサ着脱部材と、
前記スペーサ着脱部材で前記トレー本体側部の内面に着脱自在に装着されているスペーサと、
前記スペーサの内側で前記トレー本体底部の上面に載置されている底部補強底板と、
長手方向と直交する断面形状が前記トレー本体側部の上縁部に係合するコ字状で内側部が前記トレー本体側部と前記スペーサとの間隙に位置する上縁補強フレームと、
を有するシート搬送トレー。
【請求項２】
対向する一対の前記トレー本体側部に設けられた前記上縁補強フレームの上縁部に着脱自在に係合するコ字状に両端が形成されている補強梁部材を、さらに有する請求項１に記載のシート搬送トレー。
【請求項３】
一対の前記上縁補強フレームが直角に隣接する上縁角部に上方から係合する角部補強部品を、さらに有する請求項１または２に記載のシート搬送トレー。
【請求項４】
前記角部補強部品は、当該シート搬送トレー上に積層される他のシート搬送トレーの搬送トレー本体の底面角部を下方から保持する形状の底面保持部と、前記底面保持部から上方に突出して前記他のシート搬送トレーの搬送トレー本体の角部下部側面を外側から保持する形状の一対の角部保持部と、を有する請求項３に記載のシート搬送トレー。
【請求項５】
前記上縁補強フレームの上縁部に着脱自在に係合するコ字状に両端が形成されている補強梁部材を、さらに有し、
前記補強梁部材の前記上縁補強フレームの上方に位置する部分と前記角部補強部品の前記上縁補強フレームの上方に位置する部分とが同一の板厚に形成されている請求項４に記載のシート搬送トレー。
【請求項６】
前記搬送トレー本体の前記トレー本体底部と複数の前記トレー本体側部とが一枚のシート状の構造板で形成されている請求項１ないし５の何れか一項に記載のシート搬送トレー。
【請求項７】
前記搬送トレー本体の前記トレー本体底部は長方形に形成されており、
前記構造板は、前記トレー本体底部の長手方向に直線状に配置されているとともに短手方向に千鳥状に配置されている複数のコア部材で樹脂底板と樹脂天板とが連結されている請求項６に記載のシート搬送トレー。
【請求項８】
前記搬送トレー本体の対向する一対の前記トレー本体側部の各々に一対の取手部品が装着されている請求項１ないし７の何れか一項に記載のシート搬送トレー。
【発明の詳細な説明】
【技術分野】
【０００１】
本発明は、シート体を収容して搬送するシート搬送トレーに関する。
【背景技術】
【０００２】
現在、薄型大画面のテレビ装置や大型の太陽電池などが普及しており、これらの部品となる大型のシート体を搬送する要求がある。このようなシート体を搬送する発明として、シート形状の部材を搬送する際に用いる収納トレーの提案がある。
【０００３】
その収納トレーは、当該収納トレーを収納して搬送する搬送容器の内側形状に合わせて形成され、外部からの衝撃により変形する支持板部と、当該支持板部の周縁近傍に設けられ上記シート形状の部材の周囲を押さえて支持するスペーサとを備える。
【０００４】
上記スペーサは、上記シート形状の部材の高さよりも高い寸法に形成されている。搬送容器は、その内部に上記収納トレーを一又は複数枚収納して搬送する。このような収納トレーは、外部からの衝撃を吸収して、部材の破損を防止する（特許文献１）。
【０００５】
さらに、箱としての構造を簡略化し、部品点数を少なくし、しかも容易に組み立てることができ、材料コストもかからないようにする、プラスチック段ボール箱の提案もある。
【０００６】
そのプラスチック段ボール箱は、前後壁、左右壁および底壁で構成されており、前後壁は上下に二分され、その上側部の下縁と下側部の上縁とが指を挟まない構造のヒンジ部材によって連結され、左右壁の下端部が尖った形状となされ、該部が底壁の左右端部に形成された凹溝に挿脱自在となされている(特許文献２)。
【先行技術文献】
【特許文献】
【０００７】
【特許文献１】特開２００９−１７９３４５号公報
【特許文献２】特開２００９−２６２９４３号公報
【発明の概要】
【発明が解決しようとする課題】
【０００８】
しかし、特許文献１の収納トレーは、矩形のトレー本体底部の四辺から上方にトレー本体側部が立設されている上面開口の扁平なボックス状に形成されているだけである。このため、収容できるシート体は一種類に限定されており、各種サイズのシート体を収容して搬送することはできない。
【０００９】
しかも、トレー本体底部は単純な平板状に形成されているので、充分な強度を確保することが困難である。このため、大面積のシート体を多量に収容すると、トレー本体底板の強度が不足する懸念がある。
【００１０】
また、特許文献２のプラスチック段ボール箱は、複数のシート搬送トレーを積載して収納するものである。このため、シート体を直接に収容して搬送する構造には形成されていない。
【００１１】
本発明は上述のような課題に鑑みてなされたものであり、各種サイズのシート体を収容して搬送することができ、大面積のシート体を多量に収容しても湾曲や曲折を防止することができるシート搬送トレーを提供するものである。
【課題を解決するための手段】
【００１２】
本発明のシート搬送トレーは、矩形のトレー本体底部の四辺から上方にトレー本体側部が立設されている上面開口の扁平なボックス状の搬送トレー本体と、トレー本体側部の内面に装着されている平板状のスペーサ着脱部材と、スペーサ着脱部材でトレー本体側部の内面に着脱自在に装着されているスペーサと、スペーサの内側でトレー本体底部の上面に載置されている底部補強底板と、長手方向と直交する断面形状がトレー本体側部の上縁部に係合するコ字状で内側部がトレー本体側部とスペーサとの間隙に位置する上縁補強フレームと、を有する。
【００１３】
本発明のシート搬送トレーでは、上面開口の扁平なボックス状の搬送トレー本体の矩形のトレー本体底部の四辺から上方にトレー本体側部が立設されている。トレー本体側部の内面に平板状のスペーサ着脱部材が装着されている。スペーサ着脱部材でトレー本体側部の内面にスペーサが着脱自在に装着されている。スペーサの内側でトレー本体底部の上面に底部補強底板が載置されている。長手方向と直交する断面形状がトレー本体側部の上縁部に係合するコ字状の上縁補強フレームの内側部がトレー本体側部とスペーサとの間隙に位置する。スペーサ着脱部材でトレー本体側部の内面に装着されているスペーサが着脱自在なので、板厚が相違するスペーサと交換することで支持されるシート体のサイズが変更される。スペーサの内側でトレー本体底部の上面に底部補強底板が載置されているので、底部に充分な強度が確保されている。しかも、各種部品が無駄な隙間なく組み合されている。
【００１４】
また、上述のようなシート搬送トレーにおいて、対向する一対のトレー本体側部に設けられた上縁補強フレームの上縁部に着脱自在に係合するコ字状に両端が形成されている補強梁部材を、さらに有してもよい。
【００１５】
また、上述のようなシート搬送トレーにおいて、一対の上縁補強フレームが直角に隣接する上縁角部に上方から係合する角部補強部品を、さらに有してもよい。
【００１６】
また、上述のようなシート搬送トレーにおいて、角部補強部品は、当該シート搬送トレー上に積層される他のシート搬送トレーの搬送トレー本体の底面角部を下方から保持する形状の底面保持部と、底面保持部から上方に突出して前記他のシート搬送トレーの搬送トレー本体の角部下部側面を外側から保持する形状の一対の角部保持部と、を有してもよい。
【００１７】
また、上述のようなシート搬送トレーにおいて、上縁補強フレームの上縁部に着脱自在に係合するコ字状に両端が形成されている補強梁部材を、さらに有し、補強梁部材の上縁補強フレームの上方に位置する部分と角部補強部品の上縁補強フレームの上方に位置する部分とが同一の板厚に形成されていてもよい。
【００１８】
また、上述のようなシート搬送トレーにおいて、搬送トレー本体のトレー本体底部と複数のトレー本体側部とが一枚のシート状の構造板で形成されていてもよい。
【００１９】
また、上述のようなシート搬送トレーにおいて、搬送トレー本体のトレー本体底部は長方形に形成されており、構造板は、トレー本体底部の長手方向に直線状に配置されているとともに短手方向に千鳥状に配置されている複数のコア部材で樹脂底板と樹脂天板とが連結されていてもよい。
【００２０】
また、上述のようなシート搬送トレーにおいて、搬送トレー本体の対向する一対のトレー本体側部の各々に一対の取手部品が装着されていてもよい。
【発明の効果】
【００２１】
本発明のシート搬送トレーでは、スペーサ着脱部材でトレー本体側部の内面に装着されているシート支持スペーサが着脱自在なので、板厚が相違するシート支持スペーサと交換することで支持するシート体のサイズを変更することができ、各種サイズのシート体を収容して搬送することができる。シート支持スペーサの内側でトレー本体底部の上面に底部補強底板が載置されているので、底部に充分な強度が確保されており、大面積のシート体を多量に収容しても湾曲等が発生することがない。しかも、各種部品が無駄な隙間なく組み合されているので、デッドスペースの発生が抑制されている。
【図面の簡単な説明】
【００２２】
【図１】本発明の実施の形態のシート搬送トレーの要部の組立構造を示す模式的な縦断側面図である。
【図２】シート搬送トレーの外観を示す斜視図である。
【図３】積載された複数のシート搬送トレーの外観を示す斜視図である。
【図４】角部補強部品の外観を示す斜視図である。
【図５】角部補強金具の外観を示す斜視図である。
【図６】取手部品の外観を示す斜視図である。
【図７】搬送トレー本体を形成する構造板を示す平面図である。
【図８】シート支持スペーサが脱着されたシート搬送トレーの外観を示す斜視図である。
【図９】シート支持スペーサが交換されたシート搬送トレーの外観を示す斜視図である。
【発明を実施するための形態】
【００２３】
本発明の実施の一形態を図面を参照して以下に説明する。本実施の形態のシート搬送トレー１００は、図１ないし図３に示すように、矩形のトレー本体底部１１１の四辺から上方にトレー本体側部１１２，１１３が立設されている上面開口の扁平なボックス状の搬送トレー本体１１０と、トレー本体側部１１２，１１３の内面に装着されている平板状のスペーサ着脱部材１２０と、スペーサ着脱部材１２０でトレー本体側部１１２，１１３の内面に着脱自在に装着されているシート支持スペーサ１３１，１３２と、シート支持スペーサ１３１，１３２の内側でトレー本体底部１１１の上面に載置されている底部補強底板１４０と、長手方向と直交する断面形状がトレー本体側部１１２，１１３の上縁部１１４に係合するコ字状で内側部１５３がトレー本体側部１１２，１１３とシート支持スペーサ１３１，１３２との間隙に位置する上縁補強フレーム１５１，１５２と、を有する。
【００２４】
より具体的には、本実施の形態のシート搬送トレー１００は、図２ないし図４に示すように、一対の上縁補強フレーム１５１，１５２が直角に隣接する上縁角部に上方から係合するフレーム保持部１６１を有する角部補強部品１６０を、さらに有する。この角部補強部品１６０は、樹脂で成形されており、上縁補強フレーム１５１，１５２を介してトレー本体側部１１２，１１３にリベット止めされている。
【００２５】
さらに、この角部補強部品１６０は、搬送トレー本体１１０の底面角部を下方から保持する形状の底面保持部１６２と、底面保持部１６２から上方に突出して搬送トレー本体１１０の角部下部側面を外側から保持する形状の一対の角部保持部１６３と、を有する。
【００２６】
このため、図３に示すように、本実施の形態のシート搬送トレー１００は、複数を上下方向に多段に積載することができる。このとき、図１および図３に示すように、対向する一対のトレー本体側部１１２の上縁補強フレーム１５１の上縁部１５４に、コ字状に両端が形成されている補強梁部材１７０が着脱自在に係合される。
【００２７】
なお、補強梁部材１７０の上縁補強フレーム１５１，１５２の上方に位置する部分と角部補強部品１６０の上縁補強フレーム１５１，１５２の上方に位置する部分とは同一の板厚に形成されている。このため、上下方向に多段に積載されたシート搬送トレー１００の底面が、その下段のシート搬送トレー１００に装着されている補強梁部材１７０で支持される。
【００２８】
なお、上述のように角部補強部品１６０で保持される搬送トレー本体１１０の角部下部側面には、図２および図５等に示すように、Ｌ字型に曲折された角部補強金具１８０がリベット止めされている。
【００２９】
さらに、本実施の形態のシート搬送トレー１００では、図２および図６等に示すように、搬送トレー本体１１０の対向する一対のトレー本体側部１１３の各々に一対の取手部品１９０が装着されている。
【００３０】
なお、図７に示すように、搬送トレー本体１１０のトレー本体底部１１１と複数のトレー本体側部１１２，１１３とは一枚のシート状の構造板１１５で形成されている。この構造板１１５は、例えば、ツインコーン(登録商標)からなり、一対の円錐台を頂面で連結した構造の複数のコア部材で樹脂底板と樹脂天板とが連結されている(図示せず)。
【００３１】
ただし、その複数のコア部材は、トレー本体底部１１１の長手方向に直線状に配置されているとともに短手方向に千鳥状に配置されている。このため、構造板１１５には方向性が発生しており、長手方向の強度が短手方向の強度より向上している。
【００３２】
上述のような構成において、本実施の形態のシート搬送トレー１００では、図２のように内側面にシート支持スペーサ１３１，１３２が装着されて底部に底部補強底板１４０が敷設された状態で、複数の矩形のシート体ＳＨ(図示せず)が収容される。
【００３３】
このとき、シート体ＳＨは外周の四辺がシート支持スペーサ１３１，１３２で規制されることになる。このように複数のシート体ＳＨを収容したシート搬送トレー１００には、図３に示すように、対向する一対のトレー本体側部１１２の上縁補強フレーム１５１の上縁部１５４に補強梁部材１７０が装着される。
【００３４】
そして、このように補強梁部材１７０が各々装着された複数のシート搬送トレー１００が、図３に示すように、上下方向に多段に積載される。このとき、前述のようにシート搬送トレー１００の対向する一対のトレー本体側部１１３の各々に一対の取手部品１９０が装着されているので、複数のシート搬送トレー１００は簡単に多段に積載される。
【００３５】
このように所定個数が多段に積載されたシート搬送トレー１００は、例えば、前述した特許文献２のプラスチック段ボール箱などに収容されて搬送される。このため、大画面テレビや大型太陽電池などの部品であるシート体ＳＨが、湾曲や曲折されることなく搬送される。
【００３６】
しかも、本実施の形態のシート搬送トレー１００では、図８に示すように、スペーサ着脱部材１２０でトレー本体側部１１２，１１３の内面に装着されているシート支持スペーサ１３１，１３２を脱着することができ、図９に示すように、板厚が相違するシート支持スペーサ１３１，１３２と交換することができる。
【００３７】
このため、シート支持スペーサ１３１，１３２で支持されるシート体ＳＨのサイズを変更することができ、本実施の形態のシート搬送トレー１００は、各種サイズのシート体ＳＨを収容して搬送することができる。
【００３８】
また、本実施の形態のシート搬送トレー１００では、シート支持スペーサ１３１，１３２の内側でトレー本体底部１１１の上面に底部補強底板１４０が載置されているので、底部に充分な強度が確保されており、大面積のシート体ＳＨを多量に収容しても湾曲等が発生することがない。
【００３９】
特に、図３に示すように、対向する一対のトレー本体側部１１２の上縁補強フレーム１５１の上縁部１５４に補強梁部材１７０が装着され、この補強梁部材１７０が上段のシート搬送トレー１００の底面を支持する。このため、さらに底部の強度が向上されており、大面積のシート体ＳＨを多量に収容しても湾曲等が発生することがない。
【００４０】
しかも、本実施の形態のシート搬送トレー１００では、図１に示すように、各種部品が無駄な隙間なく組み合されている。このため、デッドスペースの発生が抑制されている。
【００４１】
さらに、本実施の形態のシート搬送トレー１００では、図７に示すように、搬送トレー本体１１０のトレー本体底部１１１と複数のトレー本体側部１１２，１１３とが一枚のシート状の構造板１１５からなる。
【００４２】
このため、シート搬送トレー１００の構造が簡単で生産性が良好である。特に、一対の上縁補強フレーム１５１，１５２が直角に隣接する上縁角部に角部補強部品１６０が上方から係合する。このため、一枚のシート状の構造板１１５からなるシート搬送トレー１００が簡単な構造で確実にボックス状に形成される。
【００４３】
その角部補強部品１６０は、搬送トレー本体１１０の底面角部を下方から保持する形状の底面保持部１６２と、底面保持部１６２から上方に突出して搬送トレー本体１１０の角部下部側面を外側から保持する形状の一対の角部保持部１６３と、を有する。このため、複数のシート搬送トレー１００を簡単かつ確実に上下方向に多段に積載することができる。
【００４４】
しかも、補強梁部材１７０の上縁補強フレーム１５１，１５２の上方に位置する部分と角部補強部品１６０の上縁補強フレーム１５１，１５２の上方に位置する部分とが同一の板厚に形成されている。このため、上下方向に多段に積載したシート搬送トレー１００の底面を補強梁部材１７０の上面で的確に支持することができる。
【００４５】
さらに、搬送トレー本体１１０のトレー本体底部１１１は長方形に形成されており、構造板１１５は、トレー本体底部１１１の長手方向に直線状に配置されているとともに短手方向に千鳥状に配置されている複数のコア部材で樹脂底板と樹脂天板とが連結されている。
【００４６】
このため、搬送トレー本体１１０を形成している構造板１１５は、その長手方向の強度が短手方向の強度より向上している。従って、長方形のシート体ＳＨを湾曲させることなく良好に収容することができる。
【００４７】
さらに、搬送トレー本体１１０の対向する一対のトレー本体側部１１３の各々に一対の取手部品１９０が装着されている。従って、複数のシート搬送トレー１００を多段に積載する作業などを簡単に実行することができる。
【００４８】
なお、本発明は本実施の形態に限定されるものではなく、その要旨を逸脱しない範囲で各種の変形を許容する。例えば、上記形態では搬送トレー本体１１０の対向する一対の短辺のトレー本体側部１１３のみに取手部品１９０が装着されていることを例示した。
【００４９】
しかし、長辺の一対のトレー本体側部１１２に取手部品１９０が装着されていてもよく、短辺と長辺との両方のトレー本体側部１１２，１１３に取手部品１９０が装着されていてもよい(図示せず)。
【００５０】
なお、当然ながら、上述した実施の形態および複数の変形例は、その内容が相反しない範囲で組み合わせることができる。また、上述した実施の形態および変形例では、各部の構造などを具体的に説明したが、その構造などは本願発明を満足する範囲で各種に変更することができる。
【符号の説明】
【００５１】
１００    シート搬送トレー
１１０    搬送トレー本体
１１１    トレー本体底部
１１２    トレー本体側部
１１３    トレー本体側部
１１４    上縁部
１１５    構造板
１２０    スペーサ着脱部材
１３１    シート支持スペーサ
１３２    シート支持スペーサ
１４０    底部補強底板
１５１    上縁補強フレーム
１５２    上縁補強フレーム
１５３    内側部
１５４    上縁部
１６０    角部補強部品
１６１    フレーム保持部
１６２    底面保持部
１６３    角部保持部
１７０    補強梁部材
１８０    角部補強金具
１９０    取手部品
ＳＨ    シート体
【図１】
0005415358.tif 000002
【図２】
0005415358.tif 000003
【図３】
0005415358.tif 000004
【図４】
0005415358.tif 000005
【図５】
0005415358.tif 000006
【図６】
0005415358.tif 000007
【図７】
0005415358.tif 000008
【図８】
0005415358.tif 000009
【図９】
0005415358.tif 000010